(57)【要約】【課題】本発明は自動的に消臭できるスポーツバックパックを開示した。【解決手段】バックパックを含み、前記バックパックの左端面が前後に対称しており、且つ前記バックパックの左端面には肩ベルトが固定的に設置され、前記バックパックの上端面の左端には覆い布が固定的に設置され、前記覆い布の前と、後と、右端と前記バックパックの上端面との間にはファスナーが設置され、前記バックパックの中の左右両側には上方に開口した服を置くことができる服チャンバと靴を置くことができる靴チャンバとがそれぞれ設置され、前記服チャンバのうち互いに近接している側の内壁の間には吸気口が連通するように設置され、前記吸気口が上方位置に設置され、前記吸気口の下側には吸気通路が連通するように設置される。【選択図】図１
2020182766.tif 000002
【特許請求の範囲】
【請求項１】
正面視で、バックパックを含み、前記バックパックの左端面が前後に対称しており、且つ前記バックパックの左端面には肩ベルトが固定的に設置され、前記バックパックの上端面の左端には覆い布が固定的に設置され、前記覆い布の前と、後と、右端と前記バックパックの上端面との間にはファスナーが設置され、前記バックパックの中の左右両側には上方に開口した服を置くことができる服チャンバと靴を置くことができる靴チャンバとがそれぞれ設置され、前記服チャンバのうち互いに近接している側の内壁の間には吸気口が連通するように設置され、前記吸気口が上方位置に設置され、前記吸気口の下側には吸気通路が連通するように設置され、前記服チャンバと前記靴チャンバの下側には取り外し可能な消臭装置が設置され、前記消臭装置の中には送気装置と取り外し装置とが設置され、前記消臭装置が前記吸気口により前記服チャンバと前記靴チャンバとの中の臭い匂いを吸い込み、消臭剤により吸着された後、無臭な空気を前記送気装置により底部から再び吹き戻し、空気内循環を行い、臭い匂いが漏れることを防止し、バックパックを洗浄し又は前記消臭装置に対し充電する際には、前記取り外し装置によりロックを解除して取り外すことができることを特徴とする自動的に消臭できるスポーツバックパック。
【請求項２】
前記消臭装置は前記服チャンバと前記靴チャンバの下側に設置され、且つ右方に開口した取り付けチャンバを含み、前記取り付けチャンバが前記吸気通路の下側に連通しており、前記取り付けチャンバの中には取り付け板がスライドできるように設置され、前記取り付け板の中には左方に開口した支え板チャンバが設置され、前記支え板チャンバの中には支え盤がスライドできるように設置され、前記支え盤の中には上方に開口し、且つ消臭剤や香料を置くことができる薬剤チャンバが設置され、前記支え板チャンバの上壁にはフィルタースクリーンが固定的に設置され、前記フィルタースクリーンが本発明装置が倒れるとき薬剤が前記薬剤チャンバから出ることを防止でき、前記支え板チャンバの上壁において前記フィルタースクリーンの上側には上方に開口した伸縮穴が連通するように設置され、前記伸縮穴と前記吸気通路とが正対して連通しており、前記伸縮穴の中には上端が前記吸気通路の中に伸びている気体ガイドパイプがスライドできるように設置され、前記気体ガイドパイプの中には気体ガイド穴が上下に貫通するように設置されることを特徴とする請求項１に記載の自動的に消臭できるスポーツバックパック。
【請求項３】
前記送気装置は左右に対称しており、且つ前記取り付けチャンバの上壁に連通するように設置される気体収集チャンバを含み、前記気体収集チャンバの上壁には通気穴が連通するように設置され、左側の前記通気穴の上端が前記服チャンバの下壁に連通しており、右側の前記通気穴の上端が前記靴チャンバの下壁に連通しており、前記取り付け板の上端面には前記気体収集チャンバと連通できるファンチャンバが左右に対称するように設置され、前記ファンチャンバの中にはファンが回転できるように設置され、前記ファンの下端には回転軸が固定的に連結され、前記ファンチャンバの下側にはプーリーチャンバが設置され、前記回転軸の下端が前記プーリーチャンバの中に伸びており、且つ前記回転軸の下端にはプーリーが固定的に設置され、前記プーリーチャンバにおいて対称中心に近接している側には貫通口が前後に対称しており、且つ互いに連通するように設置され、前記プーリーの間には前記貫通口を貫通している伝動ベルトが周設され、右側の前記プーリーチャンバの下壁にはモータが固定的に設置され、右側の前記プーリーが前記モータの上端に伝動できるように連結され、前記ファンチャンバの下壁と前記プーリーチャンバの周りには弧形の気体入りチャンバが設置され、前記気体入りチャンバが前記支え板チャンバの上壁に連通していることを特徴とする請求項１に記載の自動的に消臭できるスポーツバックパック。
【請求項４】
前記取り外し装置は三つの部分に分けられ、第一部分は前記取り付け板の右端面に設置される押しチャンバを含み、前記押しチャンバの中にはボタンがスライドできるように設置され、前記ボタンの左端面の中心と前記押しチャンバの左壁との間には復帰ばねが固定的に連結され、前記押しチャンバの左壁にはスライドロッドチャンバが前後に対称的に連通するように設置され、前記スライドロッドチャンバの中には前記ボタンの左端面に固定的に連結されるスライドロッドがスライドできるように設置され、
第二部分は前記伸縮穴の前後壁に対称的に連通するように設置される昇降チャンバを含み、前記昇降チャンバが前記スライドロッドチャンバの左側に連通しており、前記昇降チャンバの中には前記気体ガイドパイプの前後端に固定的に連結される昇降板がスライドできるように設置され、前記昇降板において対称中心に離れている一端が斜面であり、前記昇降板の下端と前記昇降チャンバの下壁との間には押圧ばねが固定的に連結され、前記昇降板の上端には引き線が固定的に連結され、
第三部分は前記取り付け板の左端面の中に設置されるロックチャンバを含み、前記取り付けチャンバの左壁には前記ロックチャンバの中に伸びられる引掛りフックが固定的に設置され、前記ロックチャンバの中には前記引掛りフックの下端に当接できる翻転板が翻転できるように設置され、前記翻転板の左端が前記ロックチャンバの左壁と当接しており、それにより左に翻転できなく、前記翻転板の右端と前記ロックチャンバの右壁との間には翻転ばねが固定的に連結され、前記引き線が前記翻転板の右端に固定的に連結されることを特徴とする請求項１に記載の自動的に消臭できるスポーツバックパック。
【発明の詳細な説明】
【技術分野】
【０００１】
本発明はバッグ技術分野を取り上げて、具体的には自動的に消臭できるスポーツバックパックである。
【背景技術】
【０００２】
人々は汗の臭いによる他の人への不快感を避けるために、運動後に汗で濡れた服や靴を着替えるが、濡れた服や靴を直接にバッグの中に入れると、臭い匂いを有効的に隔離できなく、汗が発酵し、より臭くなる可能性があり、従って、自動的に消臭できるスポーツバックパックが必要となり、本発明装置は服と靴とを分けて置くことができ、また自動的によく消臭でき、内部空気循環を採用し、臭いが溢れて他の人に不快感を与えることを防ぎ、同時に取り外すことができ、バックパックの洗浄と、装置の充電及び消臭剤の交換などの操作を行える。
【先行技術文献】
【特許文献】
【０００３】
【特許文献１】中国特許出願公開第１８８３３３３号明細書
【発明の概要】
【発明が解決しようとする課題】
【０００４】
本発明の目的は自動的に消臭できるスポーツバックパックを提供し、それは上記の現在の技術中の問題を解決できる。
【課題を解決するための手段】
【０００５】
本発明の自動的に消臭できるスポーツバックパックは、バックパックを含み、前記バックパックの左端面が前後に対称しており、且つ前記バックパックの左端面には肩ベルトが固定的に設置され、前記バックパックの上端面の左端には覆い布が固定的に設置され、前記覆い布の前と、後と、右端と前記バックパックの上端面との間にはファスナーが設置され、前記バックパックの中の左右両側には上方に開口した服を置くことができる服チャンバと靴を置くことができる靴チャンバとがそれぞれ設置され、前記服チャンバのうち互いに近接している側の内壁の間には吸気口が連通するように設置され、前記吸気口が上方位置に設置され、前記吸気口の下側には吸気通路が連通するように設置され、前記服チャンバと前記靴チャンバの下側には取り外し可能な消臭装置が設置され、前記消臭装置の中には送気装置と取り外し装置とが設置され、前記消臭装置が前記吸気口により前記服チャンバと前記靴チャンバとの中の臭い匂いを吸い込み、消臭剤により吸着された後、無臭な空気を前記送気装置により底部から再び吹き戻し、空気内循環を行い、臭い匂いが漏れることを防止し、バックパックを洗浄し又は前記消臭装置に対し充電する際には、前記取り外し装置によりロックを解除して取り外すことができる。
【０００６】
さらなる技術プラン、前記消臭装置は前記服チャンバと前記靴チャンバの下側に設置され、且つ右方に開口した取り付けチャンバを含み、前記取り付けチャンバが前記吸気通路の下側に連通しており、前記取り付けチャンバの中には取り付け板がスライドできるように設置され、前記取り付け板の中には左方に開口した支え板チャンバが設置され、前記支え板チャンバの中には支え盤がスライドできるように設置され、前記支え盤の中には上方に開口し、且つ消臭剤や香料を置くことができる薬剤チャンバが設置され、前記支え板チャンバの上壁にはフィルタースクリーンが固定的に設置され、前記フィルタースクリーンが本発明装置が倒れるとき薬剤が前記薬剤チャンバから出ることを防止でき、前記支え板チャンバの上壁において前記フィルタースクリーンの上側には上方に開口した伸縮穴が連通するように設置され、前記伸縮穴と前記吸気通路とが正対して連通しており、前記伸縮穴の中には上端が前記吸気通路の中に伸びている気体ガイドパイプがスライドできるように設置され、前記気体ガイドパイプが一定的な定位作用があり、前記取り付け板を取り付けるとき、前記気体ガイドパイプが前記吸気通路の中に固定され取り付けを完成し、前記気体ガイドパイプの中には気体ガイド穴が上下に貫通するように設置され、臭い匂いが前記吸気通路の中から前記気体ガイド穴を通して前記薬剤チャンバの中に流通できる。
【０００７】
さらなる技術プラン、前記送気装置は左右に対称しており、且つ前記取り付けチャンバの上壁に連通するように設置される気体収集チャンバを含み、前記気体収集チャンバの上壁には通気穴が連通するように設置され、左側の前記通気穴の上端が前記服チャンバの下壁に連通しており、右側の前記通気穴の上端が前記靴チャンバの下壁に連通しており、前記取り付け板の上端面には前記気体収集チャンバと連通できるファンチャンバが左右に対称するように設置され、前記ファンチャンバの中にはファンが回転できるように設置され、前記ファンの下端には回転軸が固定的に連結され、前記ファンチャンバの下側にはプーリーチャンバが設置され、前記回転軸の下端が前記プーリーチャンバの中に伸びており、且つ前記回転軸の下端にはプーリーが固定的に設置され、前記プーリーチャンバにおいて対称中心に近接している側には貫通口が前後に対称しており、且つ互いに連通するように設置され、前記プーリーの間には前記貫通口を貫通している伝動ベルトが周設され、右側の前記プーリーチャンバの下壁にはモータが固定的に設置され、右側の前記プーリーが前記モータの上端に伝動できるように連結され、前記ファンチャンバの下壁と前記プーリーチャンバの周りには弧形の気体入りチャンバが設置され、前記気体入りチャンバが前記支え板チャンバの上壁に連通しており、前記薬剤チャンバの中を通して消臭された気体が気体入りチャンバからファンチャンバの中に入り、またファンにより気体収集チャンバの中に吹かれる。
【０００８】
さらなる技術プラン、前記取り外し装置は三つの部分に分けられ、第一部分は前記取り付け板の右端面に設置される押しチャンバを含み、前記押しチャンバの中にはボタンがスライドできるように設置され、前記ボタンの左端面の中心と前記押しチャンバの左壁との間には復帰ばねが固定的に連結され、前記押しチャンバの左壁にはスライドロッドチャンバが前後に対称的に連通するように設置され、前記スライドロッドチャンバの中には前記ボタンの左端面に固定的に連結されるスライドロッドがスライドできるように設置され、
第二部分は前記伸縮穴の前後壁に対称的に連通するように設置される昇降チャンバを含み、前記昇降チャンバが前記スライドロッドチャンバの左側に連通しており、前記昇降チャンバの中には前記気体ガイドパイプの前後端に固定的に連結される昇降板がスライドできるように設置され、前記昇降板において対称中心に離れている一端が斜面であり、前記昇降板の下端と前記昇降チャンバの下壁との間には押圧ばねが固定的に連結され、前記昇降板の上端には引き線が固定的に連結され、
第三部分は前記取り付け板の左端面の中に設置されるロックチャンバを含み、前記取り付けチャンバの左壁には前記ロックチャンバの中に伸びられる引掛りフックが固定的に設置され、前記ロックチャンバの中には前記引掛りフックの下端に当接できる翻転板が翻転できるように設置され、前記翻転板の左端が前記ロックチャンバの左壁と当接しており、それにより左に翻転できなく、前記翻転板の右端と前記ロックチャンバの右壁との間には翻転ばねが固定的に連結され、前記引き線が前記翻転板の右端に固定的に連結される。
【発明の効果】
【０００９】
本発明の有益的な効果は：本発明は構造が簡単で、操作が便利であり、本発明装置により服と靴とを分けて置くことができ、また自動的によく消臭でき、内部空気循環を採用し、臭いが溢れて他の人に不快感を与えることを防ぎ、同時に取り外すことができ、バックパックの洗浄と、装置の充電及び消臭剤の交換などの操作を行える。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の自動的に消臭できるスポーツバックパックの内部全体構造概略図
【図２】図２は図１のＡ―Ａ方向の構造概略図
【図３】図３は図１のＢ―Ｂ方向の構造概略図
【図４】図４は図１のＣ―Ｃ方向の構造概略図
【図５】図５は図４のＤ―Ｄ方向の構造概略図
【図６】図６は図１のＥの拡大概略図
【発明を実施するための形態】
【００１２】
図１〜６に参照し、本発明の自動的に消臭できるスポーツバックパックは、バックパック１１を含み、前記バックパック１１の左端面が前後に対称しており、且つ前記バックパック１１の左端面には肩ベルト１２が固定的に設置され、前記バックパック１１の上端面の左端には覆い布１３が固定的に設置され、前記覆い布１３の前と、後と、右端と前記バックパック１１の上端面との間にはファスナー１４が設置され、前記バックパック１１の中の左右両側には上方に開口した服を置くことができる服チャンバ１５と靴を置くことができる靴チャンバ１６とがそれぞれ設置され、前記服チャンバ１５のうち互いに近接している側の内壁の間には吸気口１７が連通するように設置され、前記吸気口１７が上方位置に設置され、前記吸気口１７の下側には吸気通路１８が連通するように設置され、前記服チャンバ１５と前記靴チャンバ１６の下側には取り外し可能な消臭装置１０１が設置され、前記消臭装置１０１の中には送気装置１０２と取り外し装置１０３とが設置され、前記消臭装置１０１が前記吸気口１７により前記服チャンバ１５と前記靴チャンバ１６との中の臭い匂いを吸い込み、消臭剤により吸着された後、無臭な空気を前記送気装置１０２により底部から再び吹き戻し、空気内循環を行い、臭い匂いが漏れることを防止し、バックパックを洗浄し又は前記消臭装置１０１に対し充電する際には、前記取り外し装置１０３によりロックを解除して取り外すことができる。
【００１３】
有益的には、前記消臭装置１０１は前記服チャンバ１５と前記靴チャンバ１６の下側に設置され、且つ右方に開口した取り付けチャンバ１９を含み、前記取り付けチャンバ１９が前記吸気通路１８の下側に連通しており、前記取り付けチャンバ１９の中には取り付け板２０がスライドできるように設置され、前記取り付け板２０の中には左方に開口した支え板チャンバ２１が設置され、前記支え板チャンバ２１の中には支え盤２２がスライドできるように設置され、前記支え盤２２の中には上方に開口し、且つ消臭剤や香料を置くことができる薬剤チャンバ２３が設置され、前記支え板チャンバ２１の上壁にはフィルタースクリーン２７が固定的に設置され、前記フィルタースクリーン２７が本発明装置が倒れるとき薬剤が前記薬剤チャンバ２３から出ることを防止でき、前記支え板チャンバ２１の上壁において前記フィルタースクリーン２７の上側には上方に開口した伸縮穴２４が連通するように設置され、前記伸縮穴２４と前記吸気通路１８とが正対して連通しており、前記伸縮穴２４の中には上端が前記吸気通路１８の中に伸びている気体ガイドパイプ２５がスライドできるように設置され、前記気体ガイドパイプ２５が一定的な定位作用があり、前記取り付け板２０を取り付けるとき、前記気体ガイドパイプ２５が前記吸気通路１８の中に固定され取り付けを完成し、前記気体ガイドパイプ２５の中には気体ガイド穴２６が上下に貫通するように設置され、臭い匂いが前記吸気通路１８の中から前記気体ガイド穴２６を通して前記薬剤チャンバ２３の中に流通できる。
【００１４】
有益的には、前記送気装置１０２は左右に対称しており、且つ前記取り付けチャンバ１９の上壁に連通するように設置される気体収集チャンバ２８を含み、前記気体収集チャンバ２８の上壁には通気穴２９が連通するように設置され、左側の前記通気穴２９の上端が前記服チャンバ１５の下壁に連通しており、右側の前記通気穴２９の上端が前記靴チャンバ１６の下壁に連通しており、前記取り付け板２０の上端面には前記気体収集チャンバ２８と連通できるファンチャンバ３０が左右に対称するように設置され、前記ファンチャンバ３０の中にはファン３１が回転できるように設置され、前記ファン３１の下端には回転軸３２が固定的に連結され、前記ファンチャンバ３０の下側にはプーリーチャンバ３３が設置され、前記回転軸３２の下端が前記プーリーチャンバ３３の中に伸びており、且つ前記回転軸３２の下端にはプーリー３４が固定的に設置され、前記プーリーチャンバ３３において対称中心に近接している側には貫通口３５が前後に対称しており、且つ互いに連通するように設置され、前記プーリー３４の間には前記貫通口３５を貫通している伝動ベルト３６が周設され、右側の前記プーリーチャンバ３３の下壁にはモータ３７が固定的に設置され、右側の前記プーリー３４が前記モータ３７の上端に伝動できるように連結され、前記ファンチャンバ３０の下壁と前記プーリーチャンバ３３の周りには弧形の気体入りチャンバ３８が設置され、前記気体入りチャンバ３８が前記支え板チャンバ２１の上壁に連通しており、前記薬剤チャンバ２３の中を通して消臭された気体が気体入りチャンバ３８からファンチャンバ３０の中に入り、またファン３１により気体収集チャンバ２８の中に吹かれる。
【００１５】
有益的には、前記取り外し装置１０３は三つの部分に分けられ、第一部分は前記取り付け板２０の右端面に設置される押しチャンバ３９を含み、前記押しチャンバ３９の中にはボタン４０がスライドできるように設置され、前記ボタン４０の左端面の中心と前記押しチャンバ３９の左壁との間には復帰ばね４１が固定的に連結され、前記押しチャンバ３９の左壁にはスライドロッドチャンバ４２が前後に対称的に連通するように設置され、前記スライドロッドチャンバ４２の中には前記ボタン４０の左端面に固定的に連結されるスライドロッド４３がスライドできるように設置され、
第二部分は前記伸縮穴２４の前後壁に対称的に連通するように設置される昇降チャンバ４４を含み、前記昇降チャンバ４４が前記スライドロッドチャンバ４２の左側に連通しており、前記昇降チャンバ４４の中には前記気体ガイドパイプ２５の前後端に固定的に連結される昇降板４５がスライドできるように設置され、前記昇降板４５において対称中心に離れている一端が斜面であり、前記昇降板４５の下端と前記昇降チャンバ４４の下壁との間には押圧ばね４６が固定的に連結され、前記昇降板４５の上端には引き線４８が固定的に連結され、
第三部分は前記取り付け板２０の左端面の中に設置されるロックチャンバ４９を含み、前記取り付けチャンバ１９の左壁には前記ロックチャンバ４９の中に伸びられる引掛りフック５２が固定的に設置され、前記ロックチャンバ４９の中には前記引掛りフック５２の下端に当接できる翻転板５０が翻転できるように設置され、前記翻転板５０の左端が前記ロックチャンバ４９の左壁と当接しており、それにより左に翻転できなく、前記翻転板５０の右端と前記ロックチャンバ４９の右壁との間には翻転ばね５１が固定的に連結され、前記引き線４８が前記翻転板５０の右端に固定的に連結される。
【００１６】
初期状態では、気体ガイドパイプ２５の上端が吸気通路１８の中に伸びており、スライドロッド４３が右限界位置に位置しており、引掛りフック５２がロックチャンバ４９の中に固定されている。
【００１７】
消臭する際には、服を服チャンバ１５の中に置き、靴を靴チャンバ１６の中に置き、覆い布１３を覆いファスナー１４を閉め、モータ３７が始動し右側のプーリー３４を回転連動させ、伝動ベルト３６により左側のプーリー３４を回転連動させ、回転軸３２によりファン３１を回転連動させ、それにより気体を吸気口１７から吸い込み、吸気通路１８と、気体ガイド穴２６とにより薬剤チャンバ２３の中に流通させ消臭を行い、そして気体が気体入りチャンバ３８によりファンチャンバ３０の中に流通し、気体収集チャンバ２８により気体を収集し、また通気穴２９により再び服チャンバ１５と靴チャンバ１６の中に流れ戻り、
取り外すとき、左にボタン４０を押し、またスライドロッド４３をプッシュし左に移動させて昇降板４５をプッシュし下に移動させ、気体ガイドパイプ２５を連動させて吸気通路１８から下に移動し出させ、このとき引き線４８により翻転板５０を引き、取り付け板２０が押されて一定な距離に左に移動し、このとき翻転板５０が右に翻転でき引掛りフック５２のロックを解除し、このとき取り付け板２０を取り出せば良い。
【００１８】
本発明の有益的な効果は：本発明は構造が簡単で、操作が便利であり、本発明装置により服と靴とを分けて置くことができ、また自動的によく消臭でき、内部空気循環を採用し、臭いが溢れて他の人に不快感を与えることを防ぎ、同時に取り外すことができ、バックパックの洗浄と、装置の充電及び消臭剤の交換などの操作を行える。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182766.tif 000003
【図２】
2020182766.tif 000004
【図３】
2020182766.tif 000005
【図４】
2020182766.tif 000006
【図５】
2020182766.tif 000007
【図６】
2020182766.tif 000008